【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
被写体像を撮像する撮像手段と、
前記撮像手段により撮像される被写体像のライブビュー画像を等倍表示と拡大表示とに切り替えて表示する表示手段と、
前記ライブビュー画像のうちＡＦに用いる領域を示すＡＦ領域を設定するＡＦ領域設定手段と、
ＡＦ動作の方式であるＡＦモードを設定するＡＦモード設定手段と、
前記ＡＦモード設定手段により設定されるＡＦモードが、前記ＡＦ領域設定手段により設定されたＡＦ領域が前記拡大表示の表示範囲内に存在するＡＦモードの場合には、拡大表示での撮影準備指示に応じて、拡大表示のままＡＦ動作を行い、
前記ＡＦモード設定手段により設定されるＡＦモードが、前記ＡＦ領域設定手段により設定されたＡＦ領域が前記拡大表示の表示範囲内に存在しないことがあるＡＦモードの場合には、拡大表示での撮影準備指示に応じて、等倍表示に切り替え、等倍表示でＡＦ動作を行う制御手段と、を有することを特徴とする撮像装置。
【請求項２】
前記ＡＦ領域設定手段により設定されたＡＦ領域が前記拡大表示の表示範囲内に存在するＡＦモードとは、撮像している範囲のうち前記拡大表示する領域を示す拡大領域の位置を変更する指示に応じて、前記拡大領域の位置を変更すると共に前記拡大領域の位置に連動させて前記ＡＦ領域の位置を変更するＡＦモードであることを特徴とする請求項１に記載の撮像装置。
【請求項３】
前記ＡＦ領域設定手段により設定されたＡＦ領域が前記拡大表示の表示範囲内に存在しないことがあるＡＦモードとは、撮像している範囲のうち前記拡大表示する領域を示す拡大領域の位置を変更する指示に応じて、前記ＡＦ領域設定手段により設定されたＡＦ領域の位置を変更せずに前記拡大領域の位置を変更するＡＦモードであることを特徴とする請求項１または２に記載の撮像装置。
【請求項４】
被写体像を撮像する撮像手段と、
前記撮像手段により撮像される被写体像のライブビュー画像を等倍表示と拡大表示とに切り替えて表示する表示手段と、
前記ライブビュー画像のうちＡＦに用いる領域を示すＡＦ領域を設定するＡＦ領域設定手段と、
前記ＡＦ領域設定手段により設定されたＡＦ領域が、前記拡大表示の表示範囲内に存在する場合には、拡大表示での撮影準備指示に応じて、拡大表示のままＡＦ動作を行い、
前記ＡＦ領域設定手段により設定されたＡＦ領域が、前記拡大表示の表示範囲内に存在しない場合には、拡大表示での撮影準備指示に応じて、等倍表示に切り替え、等倍表示でＡＦ動作を行う制御手段と、を有することを特徴とする撮像装置。
【請求項５】
前記ＡＦ領域設定手段は、ユーザによる複数のＡＦ領域の選択に応じて複数のＡＦ領域を設定し、
前記制御手段は、前記ＡＦ領域設定手段により設定された複数のＡＦ領域の全てが前記拡大表示の表示範囲内に存在する場合には、拡大表示での撮影準備指示に応じて、拡大表示のままＡＦ動作を行い、
前記ＡＦ領域設定手段により設定された複数のＡＦ領域の少なくとも一部が前記拡大表示の表示範囲内に存在しない場合には、拡大表示での撮影準備指示に応じて、等倍表示に切り替え、等倍表示でＡＦ動作を行うことを特徴とする請求項４に記載の撮像装置。
【請求項６】
前記制御手段は、拡大表示での撮影準備指示に応じて等倍表示に切り替えた場合、等倍表示に切り替える前に設定された、前記ライブビュー画像を拡大表示する領域を示す拡大領域を表示することを特徴とする請求項１ないし５の何れか１項に記載の撮像装置。
【請求項７】
前記ライブビュー画像を拡大する指示を検出する拡大指示検出手段を有し、
前記表示手段は、前記拡大指示検出手段により拡大する指示が検出されることに応じて、前記ライブビュー画像を等倍表示から拡大表示に切り替えることを特徴とする請求項１ないし６の何れか１項に記載の撮像装置。
【請求項８】
被写体像を撮像する撮像ステップと、
前記撮像ステップにより撮像される被写体像のライブビュー画像を等倍表示と拡大表示とに切り替えて表示する表示ステップと、
前記ライブビュー画像のうちＡＦに用いる領域を示すＡＦ領域を設定するＡＦ領域設定ステップと、
ＡＦ動作の方式であるＡＦモードを設定するＡＦモード設定ステップと、
前記ＡＦモード設定ステップにより設定されるＡＦモードが、前記ＡＦ領域設定ステップにより設定されたＡＦ領域が前記拡大表示の表示範囲内に存在するＡＦモードの場合には、拡大表示での撮影準備指示に応じて、拡大表示のままＡＦ動作を行い、
前記ＡＦモード設定ステップにより設定されるＡＦモードが、前記ＡＦ領域設定ステップにより設定されたＡＦ領域が前記拡大表示の表示範囲内に存在しないことがあるＡＦモードの場合には、拡大表示での撮影準備指示に応じて、等倍表示に切り替え、等倍表示でＡＦ動作を行う制御ステップと、を有することを特徴とする撮像装置の制御方法。
【請求項９】
被写体像を撮像する撮像ステップと、
前記撮像ステップにより撮像される被写体像のライブビュー画像を等倍表示と拡大表示とに切り替えて表示する表示ステップと、
前記ライブビュー画像のうちＡＦに用いる領域を示すＡＦ領域を設定するＡＦ領域設定ステップと、
前記ＡＦ領域設定ステップにより設定されたＡＦ領域が、前記拡大表示の表示範囲内に存在する場合には、拡大表示での撮影準備指示に応じて、拡大表示のままＡＦ動作を行い、
前記ＡＦ領域設定ステップにより設定されたＡＦ領域が、前記拡大表示の表示範囲内に存在しない場合には、拡大表示での撮影準備指示に応じて、等倍表示に切り替え、等倍表示でＡＦ動作を行う制御ステップと、を有することを特徴とする撮像装置の制御方法。
【請求項１０】
コンピュータを、請求項１ないし７の何れか１項に記載された撮像装置の各手段として機能させるためのプログラム。
【請求項１１】
コンピュータを、請求項１ないし７の何れか１項に記載された撮像装置の各手段として機能させるためのプログラムを格納したコンピュータ読み取り可能な記録媒体。
【手続補正２】
【補正対象書類名】明細書
【補正対象項目名】０００１
【補正方法】変更
【補正の内容】
【０００１】
本発明は、撮像装置、撮像装置の制御方法、プログラムおよび記録媒体に関する。特に、ライブビュー画像を表示するライブビューにおいて、撮影準備指示に応じてライブビュー画像の表示を制御する技術に関するものである。
【手続補正３】
【補正対象書類名】明細書
【補正対象項目名】０００４
【補正方法】変更
【補正の内容】
【０００４】
拡大表示している状態で撮影準備指示があった場合に、拡大表示している状態のままＡＦ動作などの撮影準備動作を行い、撮影準備動作の結果（合焦の状態）を拡大表示で確認することができれば使い勝手が向上する。更に、合焦したい主要被写体の状態を、拡大表示で確認しながらシャッターチャンスを待って撮影指示を行うことができれば使い勝手が向上する。
上述した観点から見ると、特許文献２のように拡大表示を解除して撮影準備動作を行うよりも、特許文献１のように拡大表示の状態のまま撮影準備動作を行うことができるほうが望ましい。しかしながら、拡大表示している範囲内に合焦したい主要被写体が含まれていない場合には、拡大表示のまま撮影準備動作を行うと、撮影準備動作の結果（合焦の状態）を拡大表示で確認することができないという問題がある。また、合焦したい主要被写体の状態を、拡大表示で確認しながらシャッターチャンスを待つこともできないという問題がある。
本発明は、上述したような問題点に鑑みてなされたものであり、ライブビュー画像を拡大表示した状態と、等倍表示にした状態とを撮像装置の設定に応じて自動的に切り替えてＡＦ動作を行うことで、ＡＦ動作時にユーザが確認したい画像を表示させることを目的とする。
【手続補正４】
【補正対象書類名】明細書
【補正対象項目名】０００５
【補正方法】変更
【補正の内容】
【０００５】
本発明は、被写体像を撮像する撮像手段と、前記撮像手段により撮像される被写体像のライブビュー画像を等倍表示と拡大表示とに切り替えて表示する表示手段と、前記ライブビュー画像のうちＡＦに用いる領域を示すＡＦ領域を設定するＡＦ領域設定手段と、ＡＦ動作の方式であるＡＦモードを設定するＡＦモード設定手段と、前記ＡＦモード設定手段により設定されるＡＦモードが、前記ＡＦ領域設定手段により設定されたＡＦ領域が前記拡大表示の表示範囲内に存在するＡＦモードの場合には、拡大表示での撮影準備指示に応じて、拡大表示のままＡＦ動作を行い、前記ＡＦモード設定手段により設定されるＡＦモードが、前記ＡＦ領域設定手段により設定されたＡＦ領域が前記拡大表示の表示範囲内に存在しないことがあるＡＦモードの場合には、拡大表示での撮影準備指示に応じて、等倍表示に切り替え、等倍表示でＡＦ動作を行う制御手段と、を有することを特徴とする。
【手続補正５】
【補正対象書類名】明細書
【補正対象項目名】０００６
【補正方法】変更
【補正の内容】
【０００６】
本発明によれば、ライブビュー画像の拡大表示と等倍表示とを撮像装置の設定に応じて自動的に切り替えてＡＦ動作を行うことで、ＡＦ動作時にユーザが確認したい画像を表示させることができる。
【手続補正６】
【補正対象書類名】明細書
【補正対象項目名】０００９
【補正方法】変更
【補正の内容】
【０００９】
サブ電子ダイヤル１０７は操作部２８に含まれる回転操作部材である。サブ電子ダイヤル１０７を回転操作することにより選択枠の移動や画像送りなどを行うことができる。十字キー１０８は操作部２８に含まれ、上、下、左、右部分をそれぞれ押下することで、押下した部分に応じた操作を行うことができる。ＳＥＴボタン１０９は操作部２８に含まれ、押下することで、主に選択項目の決定などの操作を行うことができる。
ライブビューボタン１１０は操作部２８に含まれ、静止画撮影モードではスルー画像（ライブビュー画像）を表示部１０１に表示するライブビューのオンとオフとを切り替えるボタンである。また、ライブビューボタン１１０は動画撮影モードでは動画撮影（記録）の開始、停止の指示に用いられる。